(57)【要約】【課題】火気厳禁とされる現場においても、また、火気厳禁でない現場において付近の火気の危険性等に注意を払うことなく、配線・配管材を壁面に沿って安全かつ簡単に支持、施工する。【解決手段】被貼着面に貼着される支持具２と、前記支持具２を前記被貼着面に貼着固定するための固定具１１とを備え、前記支持具２は、配線・配管材３２を支持する支持部４と、前記被貼着面に貼着される貼着面５を備えた本体部３とを有し、前記貼着面５に、加熱溶融接着剤７を予め塗布するとともに前記加熱溶融接着剤７を加熱、溶融する電熱線８を配線し、他方、前記固定具１１は、該支持具２を載置する載置部１５と、前記支持具２の電熱線８に電気を流通する電気流通手段と、前記電気流通手段を作動して前記電熱線８に電気を流通させる作動手段と、前記電熱線８への電気流通を解除する解除手段とを備えた。【選択図】図１８
2004208466.tif 000002
【特許請求の範囲】
【請求項１】
配線・配管材を支持すべく、被貼着面に貼着される配線・配管材用支持具であって、
前記配線・配管材を支持する支持部と、前記被貼着面に貼着される貼着面を備えた本体部とを有し、
前記貼着面には、加熱により溶融された後に硬化することにより、該貼着面を前記被貼着面に接着固定する加熱溶融接着剤が予め塗布されているとともに、
前記貼着面には、前記塗布された加熱溶融接着剤を溶融させるべく、電気流通によって熱を発生させる電熱線が該貼着面に沿って配線されていることを特徴とする配線・配管材用支持具。
【請求項２】
前記電熱線は、両端が本体部に取付けられた端子部に連結されてなることを特徴とする請求項１に記載の配線・配管材用支持具。
【請求項３】
前記端子部は、本体部の貼着面の側面側または裏面側に臨むように設けられたことを特徴とする請求項１または請求項２に記載の配線・配管材用支持具。
【請求項４】
前記電熱線は、本体部の貼着面に塗布された加熱溶融接着剤に埋設された状態に配線されていることを特徴とする請求項１乃至請求項３のいずれか１項に記載の配線・配管材用支持具。
【請求項５】
配線・配管材を支持する支持部と被貼着面に貼着される貼着面を備えた本体部とを有し、加熱溶融後硬化する加熱溶融接着剤が前記貼着面に予め塗布され、該加熱溶融接着剤を加熱溶融する電熱線が前記貼着面に沿って配線されてなる支持具を前記被貼着面に貼着固定するための配線・配管材用支持具の固定具であって、
前記支持具の貼着面を前記被貼着面に臨ませた状態で該貼着面を該被貼着面に押圧可能に該支持具を載置する載置部と、
前記載置部に載置された前記支持具の電熱線に電気を流通させるための電気流通手段と、
前記電気流通手段を作動して前記電熱線に電気を流通させる作動手段と、
前記電気流通手段により前記電熱線に電気が流通する状態を解除するための解除手段と
を備えたことを特徴とする配線・配管材用支持具の固定具。
【請求項６】
前記解除手段は、作動手段により電気流通手段を作動させ、加熱溶融接着剤の溶融が完了した後、電気流通状態を自動的に解除するように作動することを特徴とする請求項５に記載の配線・配管材用支持具の固定具。
【請求項７】
電熱線により加熱溶融した加熱溶融接着剤または支持具の温度を検知する検知部を備え、
電気の流通を解除する解除手段は、前記検知部が所定の温度を検知すると、自動的に作動することを特徴とする請求項６に記載の配線・配管材用支持具の固定具。
【請求項８】
前記電気の流通を解除する解除手段は、電気流通手段により電気を流通させてから所定の時間が経過すると、自動的に作動することを特徴とする請求項６に記載の配線・配管材用支持具の固定具。
【請求項９】
前記解除手段によって電気流通が解除された後、加熱溶融接着剤が硬化した状態となったことを表示する表示手段を備えたことを特徴とする請求項５乃至請求項８のいずれか１項に記載の配線・配管材用支持具の固定具。
【請求項１０】
加熱溶融後硬化した加熱溶融接着剤または支持具の温度を検知する検知部を備え、
加熱溶融接着剤の硬化を表示する表示手段は、前記検知部が所定の温度を検知することによって自動的に作動することを特徴とする請求項９に記載の配線・配管材用支持具の固定具。
【請求項１１】
前記加熱溶融接着剤の硬化を表示する表示手段は、電気流通の解除後、所定の時間が経過することによって自動的に作動することを特徴とする請求項９に記載の配線・配管材用支持具の固定具。
【請求項１２】
前記載置部は、支持具を支持した際に該支持具に設けられた端子部と電気的に接触する接触部を備えたことを特徴とする請求項５乃至請求項１１のいずれか１項に記載の配線・配管材用支持具の固定具。
【請求項１３】
電熱線に電気を流通させ、及び、その流通を解除する操作部を備えた把持部と、
前記把持部から延設され、先端部に前記支持具を載置する載置部を備えた柄部と
からなることを特徴とする請求項５乃至請求項１２のいずれか１項に記載の配線・配管材用支持具の固定具。
【請求項１４】
配線・配管材を支持すべく、被貼着面に貼着される支持具と、前記支持具を前記被貼着面に貼着固定するための固定具とを備えた配線・配管材用支持具の固定装置であって、
前記支持具は、前記配線・配管材を支持する支持部と、前記被貼着面に貼着される貼着面を備えた本体部とを有し、前記貼着面には、加熱により溶融された後に硬化することにより、該貼着面を前記被貼着面に接着固定する加熱溶融接着剤が予め塗布されているとともに、前記塗布された加熱溶融接着剤を溶融させるべく、電気流通によって熱を発生させる電熱線が該貼着面に沿って配線され、
前記固定具は、前記支持具の貼着面を被貼着面に臨ませた状態で該貼着面を前記被貼着面に押圧可能に該支持具を載置する載置部と、前記載置部に載置された前記支持具の電熱線に電気を流通させるための電気流通手段と、前記電気流通手段を作動して前記電熱線に電気を流通させる作動手段と、前記電気流通手段により前記電熱線に電気が流通する状態を解除するための解除手段とを備えたことを特徴とする配線・配管材用支持具の固定装置。
【請求項１５】
配線・配管材を支持する支持部と被貼着面に貼着される貼着面を備えた本体部とを有する支持具を、固定具の載置部に載置し、
次いで、前記固定具に設けられた電気流通手段を作動させて前記支持具の貼着面に沿って配線された電熱線に電気を流通させ、前記支持具の貼着面に予め塗布された加熱溶融接着剤を溶融し、その溶融の前または後に、前記固定具によって前記支持具を前記被貼着面に押圧し、
次に、前記電気流通手段による電気流通を解除することによって前記溶融した加熱溶融接着剤が硬化するまでの間、前記押圧状態を維持し、
前記加熱溶融接着剤が硬化した後、前記固定具による押圧状態を解除して、
前記支持具を前記被貼着面に固定することを特徴とする配線・配管材用支持具の固定方法。
【発明の詳細な説明】
【０００１】
【発明の属する技術分野】
本発明は、天井や壁等の壁面に沿って管・ケーブル等の配線・配管材を支持するために使用する配線・配管材用支持具、その固定具、その固定装置及びその固定方法に関するものである。
【０００２】
【従来の技術】
従来より、天井や壁等の壁面に沿って管・ケーブル等の配線・配管材を支持するために支持具を使用していた。また、前記支持具を壁面に固定するために工具を使用していた。従来のこの種の支持具として、例えば、特許文献１及び特許文献２に掲載の技術が開示されている。また、従来のこの種の工具として、例えば、特許文献３に掲載の技術が開示されている。
【０００３】
図２５は、従来の配線・配管材用支持具を示す。
図２５において、支持具４１は合成樹脂で形成されており、方形板状の接着板４２と、該接着板４２の下面に一体に形成されたフック４３とで構成されている。前記接着板４２の中央部には充填孔が上下に貫通して設けられている。また、前記フック４３はその下半部の支持部４４で管・ケーブル等の配線・配管材３２を収容して支持する。前記フック４３の上半部は前記配線・配管材３２を挿入するための挿入部４５となっており、該挿入部４５には前記支持部４４に支持されている配線・配管材３２の抜け出しを防止する抜出し防止爪４６が設けられている。この抜出し防止爪４６の上端部は屈曲条に形成されたばね部４７が形成されており、該ばね部４７によって該抜出し防止爪４６の全体が弾性変形可能となっている。
【０００４】
また、前記支持具４１の接着板４２の充填孔には下方から接着剤収容体４８の吐出口部が差し込まれており、その接着剤収容体４８の容器４９は押し潰し可能で内部には接着剤が収容されている。
【０００５】
この接着剤収容体４８を備えた支持具４１を天井壁５０に接着固定するには、接着剤収容体４８の容器４９の吐出口部を開口し、一方の手で該支持具４１の接着板４２を天井壁５０に当てがい、他方の手で接着剤収容体４８の容器４９を押し潰す。すると、前記容器４９の内部に収容されている接着剤が吐出口部から出て支持具４１の接着板４２の上面と天井壁５０との間に充填される。そこで、接着剤が固化するまでの間、一方の手で支持具４１を保持し続ければ、支持具４１は天井壁５０に固定され、配線・配管材３２は前記支持具４１のフック４３に支持されて天井壁５０に沿って取付けられる。
【０００６】
ところが、このような支持具の貼着に、有機溶剤を使用した常温乾燥型の接着剤を使用する場合は、予め大量の接着剤を用意する必要があった。また、現場にて、配線・配管経路に沿った適宜間隔毎に配設される大量の支持具のそれぞれに接着剤を塗布しながら壁面に固定していく作業は極めて面倒であった。更には、この種の接着剤は有機溶剤の揮散によって乾燥、固化させるものであるから、一般に人体に有害である。
【０００７】
そこで、ホットメルト等の加熱溶融接着剤を使用し、予め支持具に該加熱溶融接着剤を塗布しておき、現場にて、バーナー等で加熱溶融し、該接着面を壁面に所定時間押圧することにより壁面に該支持具を固定することが行なわれている。
【０００８】
【特許文献１】
特開平１０−１４８２７６号公報
【特許文献２】
特開平１１−２２８６２号公報
【特許文献３】
特開２００２−２５２９１１号公報
【０００９】
【発明が解決しようとする課題】
しかし、バーナー等を使用して施工するにあたっては、現場によって、火気等の使用が厳禁とされる場合があり、ホットメルト等の加熱溶融接着剤を溶融することによる支持具は使用できないことがあった。
【００１０】
また、火気厳禁でなくとも、新築の建築現場等においては、他の設備工事も同時に行なわれていることも多く、例えば、現場付近にてガス配管工事等が行なわれていれば、火気を用いての施工は極めて危険であり、非常に注意を要すべき作業となっていた。
【００１１】
そこで、本発明は、火気厳禁とされる現場においても配線・配管材を壁面に沿って安全かつ簡単に支持、施工でき、また、火気厳禁でない現場において付近の火気の危険性等に注意を払うことなく、配線・配管材を壁面に沿って安全かつ簡単に支持、施工できる配線・配管材用支持具、その固定具、その固定装置及びその固定方法の提供を課題とするものである。
【００１２】
【課題を解決するための手段】
請求項１の発明にかかる配線・配管材用支持具は、配線・配管材を支持すべく、被貼着面に貼着されるものであって、前記配線・配管材を支持する支持部と、前記被貼着面に貼着される貼着面を備えた本体部とを有し、前記貼着面には、加熱により溶融された後に硬化することにより、該貼着面を前記被貼着面に接着固定する加熱溶融接着剤が予め塗布されているとともに、前記貼着面には、前記塗布された加熱溶融接着剤を溶融させるべく、電気流通によって熱を発生させる電熱線が該貼着面に沿って配線されている。
【００１３】
即ち、前記配線・配管材用支持具は、天井面、壁面等の被貼着面に貼着される貼着面に予め加熱溶融接着剤が塗布されており、この加熱溶融接着剤にホットメルトなどの接着剤が用いられ、加熱することによって溶融し、硬化して被貼着面に接着固定される。加熱溶融接着剤の加熱溶融手段としては電気流通によって熱を発生するニクロム線等の電熱線が用いられ、前記電熱線は前記支持具の貼着面に沿って配線されている。前記加熱溶融接着剤は加熱によって溶融するものであるから、有機溶剤等を混合してなる溶剤型接着剤と異なって、人体に有害な有機溶剤等の溶剤の混合量は極く僅かである。
【００１４】
前記加熱溶融接着剤は電熱線に電流を通してその熱によって溶融し、その溶融状態で貼着面を被貼着面に押圧した後、電気流通を解除して冷却することにより硬化し、貼着面を被貼着面に接着固定する。前記支持具は加熱溶融接着剤を溶融させてから被貼着面に押圧してもよく、被貼着面に押圧してから溶融させてもよい。なお、溶融後の電気流通の解除は貼着面を被貼着面に押圧する前とすることもできる、即ち、溶融後に電気流通を解除して加熱溶融接着剤が硬化を開始する溶融状態で押圧することもできる。
【００１５】
この配線・配管材用支持具は加熱溶融接着剤の加熱溶融をバーナー等の火気を全く使用せず、電熱線による電気流通手段によって行なうから、火気等の使用が厳禁された現場においても管・ケーブル等の配線・配管材を支持する施工を行なうことができる。また、火気厳禁とされていない新築現場付近等において、例えば、ガス配管工事等が行なわれていて火気の使用は極めて危険な現場においても前記配線・配管材を支持する施工を行なうことができる。また、バーナー等を使用せず、電気流通によって加熱するものであるから、取扱いが簡便で施工が容易である。
【００１６】
請求項２の発明にかかる配線・配管材用支持具は、請求項１に記載の電熱線の両端が前記本体部に取付けられた端子部に連結されてなる。この支持具は端子部が、被貼着面に固定するための固定具に設けた接触部である端子と接触することにより電気的に導通される。
【００１７】
請求項３の発明にかかる配線・配管材用支持具は、請求項１または請求項２に記載の端子部が、本体部の貼着面の側面側または裏面側に臨むように設けられている。この支持具は前記端子部を被貼着面に固定するための固定具に設けられた端子に対向させ、該固定具の載置部に載置するだけで該固定具の端子と電気的に導通される。
【００１８】
請求項４の発明にかかる配線・配管材用支持具は、請求項１乃至請求項３のいずれか１項に記載の電熱線が、本体部の貼着面に塗布された加熱溶融接着剤に埋設された状態に配線されている。このため、電熱線によって発生した熱は加熱溶融接着剤の溶融に有効に用いられる。
【００１９】
請求項５の発明にかかる配線・配管材用支持具の固定具は、配線・配管材を支持する支持部と被貼着面に貼着される貼着面を備えた本体部とを有し、加熱溶融後硬化する加熱溶融接着剤が前記貼着面に予め塗布され、該加熱溶融接着剤を加熱溶融する電熱線が前記貼着面に沿って配線されてなる支持具を、前記被貼着面に貼着固定するものであって、前記支持具の貼着面を前記被貼着面に臨ませた状態で該貼着面を該被貼着面に押圧可能に該支持具を載置する載置部と、前記載置部に載置された前記支持具の電熱線に電気を流通させるための電気流通手段と、前記電気流通手段を作動して前記電熱線に電気を流通させる作動手段と、前記電気流通手段により前記電熱線に電気が流通する状態を解除するための解除手段とを備えている。
【００２０】
請求項６の発明にかかる配線・配管材用支持具の固定具は、請求項５に記載の解除手段が、作動手段により電気流通手段を作動させ、加熱溶融接着剤の溶融が完了した後、電気流通状態を自動的に解除するように作動する。
【００２１】
請求項７の発明にかかる配線・配管材用支持具の固定具は、請求項６に記載の加熱溶融接着剤または支持具の温度を検知する検知部を備えており、電気の流通を解除する解除手段は、前記検知部が所定の温度を検知すると、自動的に作動するようにしている。
【００２２】
請求項８の発明にかかる配線・配管材用支持具の固定具は、請求項６に記載の電気の流通を解除する解除手段が、電気流通手段により電気を流通させてから所定の時間が経過すると、自動的に作動するようにしている。
【００２３】
請求項９の発明にかかる配線・配管材用支持具の固定具は、請求項５乃至請求項８のいずれか１項に記載の解除手段によって電気流通が解除された後、加熱溶融接着剤が硬化した状態となったことを表示する表示手段を備えている。
【００２４】
請求項１０の発明にかかる配線・配管材用支持具の固定具は、請求項９に記載の固定具が、加熱溶融後硬化した加熱溶融接着剤または支持具の温度を検知する検知部を備えており、加熱溶融接着剤の硬化を表示する表示手段が、前記検知部が所定の温度を検知することによって自動的に作動するようにしている。
【００２５】
請求項１１の発明にかかる配線・配管材用支持具の固定具は、請求項９に記載の加熱溶融接着剤の硬化を表示する表示手段が、電気流通の解除後、所定の時間が経過することによって自動的に作動する。
【００２６】
請求項１２の発明にかかる配線・配管材用支持具の固定具は、請求項５乃至請求項１１のいずれか１項に記載の載置部が、支持具を支持した際に該支持具に設けられた端子部と電気的に接触する接触部を備えている。
【００２７】
請求項１３の発明にかかる配線・配管材用支持具の固定具は、請求項５乃至請求項１２のいずれか１項に記載の固定具が、電熱線に電気を流通させ、及び、その流通を解除する操作部を備えた把持部と、前記把持部から延設され、先端部に前記支持具を載置する載置部を備えた柄部とからなる。
【００２８】
請求項１４の発明にかかる配線・配管材用支持具の固定装置は、配線・配管材を支持すべく、被貼着面に貼着される支持具と、前記支持具を前記被貼着面に貼着固定するための固定具とを備えている。
【００２９】
そして、前記支持具は、前記配線・配管材を支持する支持部と、前記被貼着面に貼着される貼着面を備えた本体部とを有し、前記貼着面には、加熱により溶融された後に硬化することにより、該貼着面を前記被貼着面に接着固定する加熱溶融接着剤が予め塗布されているとともに、前記塗布された加熱溶融接着剤を溶融させるべく、電気流通によって熱を発生させる電熱線が該貼着面に沿って配線されている。
【００３０】
また、前記固定具は、前記支持具の貼着面を被貼着面に臨ませた状態で該貼着面を前記被貼着面に押圧可能に該支持具を載置する載置部と、前記載置部に載置された前記支持具の電熱線に電気を流通させるための電気流通手段と、前記電気流通手段を作動して前記電熱線に電気を流通させる作動手段と、前記電気流通手段により前記電熱線に電気が流通する状態を解除するための解除手段とを備えている。
【００３１】
請求項１５の発明にかかる配線・配管材用支持具の固定方法は、まず、配線・配管材を支持する支持部と被貼着面に貼着される貼着面を備えた本体部とを有する支持具を、固定具の載置部に載置する。次いで、前記固定具に設けられた電気流通手段を作動させて前記支持具の貼着面に沿って配線された電熱線に電気を流通させ、前記支持具の貼着面に予め塗布された加熱溶融接着剤を溶融し、その溶融の前または後に、前記固定具によって前記支持具を前記被貼着面に押圧する。次に、前記電気流通手段による電気流通を解除することによって前記溶融した加熱溶融接着剤が硬化するまでの間、前記押圧状態を維持し、前記加熱溶融接着剤が硬化した後、前記固定具による押圧状態を解除して、前記支持具を前記被貼着面に固定する。
【００３２】
前記支持具は加熱溶融接着剤が加熱、溶融した状態で、被貼着面に押圧してもよく、先に、支持具を被貼着面に押圧してから加熱溶融接着剤を加熱し、溶融させてもよい。また、加熱溶融接着剤が溶融した後の電気流通手段の解除は、支持具を被貼着面に押圧してから作動させてもよく、或いは、支持具を被貼着面に押圧する前に作動させてもよい。
【００３３】
【発明の実施の形態】
以下、本発明の実施例を図１乃至図２４に基づいて説明する。
図において、配線・配管材用支持具の固定装置１は天井や壁等の壁面の被貼着面３１に沿って管・ケーブル等の配線・配管材３２を支持するために使用する支持具２と、その支持具２を前記被貼着面３１に貼着固定するための固定具１１とで構成されている。前記支持具２は一側部に切欠部３ａが形成された矩形板状の本体部３と、ビニル紐等で形成されて前記配線・配管材３２を支持する支持部４とで形成されている。なお、前記本体部３に切欠部３ａを設けたのは、支持具２が図示しない天井からの吊ボルトの近辺に貼着された場合に、その吊ボルトとの干渉を避ける逃がしを形成したものである。
【００３４】
前記支持具２の本体部３は合成樹脂等で形成され、その上面は前記被貼着面３１への貼着面５を形成し、予めホットメルト等の加熱溶融接着剤７が一定厚さに塗布されている。前記加熱溶融接着剤７は加熱によって溶融し、硬化することにより接着効果が得られる。前記本体部３の下面は略中央部に略コ字板状の取着部６が突設されており、その取着部６には支持部４を形成するビニル紐等が取着されるようになっている。前記貼着面５に塗布された加熱溶融接着剤７には表層に近い部分に前記加熱溶融接着剤７を加熱するニクロム線等の電熱線８が埋設されており、前記貼着面５の全体に至って略Ｕ字状に蛇行して設けられている。但し、前記電熱線８は例えば渦巻状に配設されていてもよく、要するに、前記加熱溶融接着剤７を貼着面５の全体に至ってほぼ均一に加熱、溶融できればどのような形態で配設されていても構わない。
【００３５】
前記電熱線８の両端部は、図７及び図８に示すように、それぞれ前記本体部３の一側端部から先端部分が突出し、更に、側端面３ｂに沿って裏面側に向けて屈曲している。また、前記側端面３ｂには左右に奥側程細幅に形成された端子取着空間３ｃが凹設されており、前記端子取着空間３ｃにはその開口３ｄから、略コ字板状に形成された導電性金属板材からなる端子９を挿入し、取着できるようになっている。前記端子９は上下の側板部９ａの先端に略Ｖ字状に切欠された切欠部９ｂが形成されており、前記電熱線８が図７に示す屈曲状態において矢印方向に前記端子９を強制的に押込むことにより、前記切欠部９ａで前記電熱線８を挟持しつつ前記端子取着空間３ｃ内に収容するものとなっている。また、前記端子９は奥側程細幅となっている前記端子取着空間３ｃ内に強制的に押込まれることによって前記端子取着空間３ｃ内に保持されるとともに、上下の側板部９ａが本体部３の側端面３ｂの下半部を挟持する。これにより、前記端子９は前記本体部３の貼着面５の側面側及び裏面側に臨む状態で前記本体部３に弾性的に強固に保持されるものとなっている。
【００３６】
なお、前記支持具２の貼着面５の上面には被貼着面３１に貼着するまでの間、前記貼着面５の表面に塗布された加熱溶融接着剤７を塵埃や傷付きから防止するために、貼着する直前に簡単に剥がせる剥離フィルム１０を必要に応じて付着させておくとよい。
【００３７】
次に、前記支持具２を被貼着面３１に貼着するために使用する固定具１１は先端部に前記支持具２を載置する載置部１５が設けられた柄部１２と、手で把持される把持部１３とで構成され、全体が略竿状をなしている。まず、前記柄部１２は中実または中空の丸棒からなる柄部本体１４の先端部に載置部１５が首振り可能に取付けられている。前記載置部１５を首振り可能とする首振り機構１６は、図１６及び図１７に示すように、前記載置部１５における柄部本体１４と対向する側が半球形状に形成され、他方、前記柄部本体１４の先端側は前記載置部１５の半球形状の部分を載置できる形状に形成されていて、前記載置部１５の半球形状の部分と前記柄部本体１４の先端側とはコイルスプリング１９により連結されることによって形成されている。したがって、例えば、天井面に支持具２を貼着するときに、周辺の作業状態における作業姿勢との関係から固定具１１の柄部本体１４が斜めの状態で押圧する場合においても、載置部１５の上面は天井面と平行させ、支持具２の貼着面５の全体を天井面に密接させることができる。
【００３８】
前記載置部１５は、図１、図２、図１４及び図１９等に示すように、先端上面に前記支持具２が安定して載置されるように一定深さ凹設されてなる載置面１７が形成されており、更に、その下方は略Ｕ字溝状に凹設されてなる支持部逃がし空間１８が形成され、その支持部逃がし空間１８は載置部１５の一側面から外部に開口している。前記支持部逃がし空間１８は支持具２を載置面１７上に載置したときに前記支持具２のビニル紐等からなる支持部４の取着部分を収納するとともに、前記支持部４における配線・配管材３２の結束部分を前記載置部１５の一側面において外部に開口する開口１８ａから外部に引出すものとなっている。
【００３９】
一方、前記把持部１３は略中空筒状に形成され、外表面に、手で安定して把持し得るよう複数の凹溝が形成されているとともに、内部に前記柄部１２の柄部本体１４を出し入れ自在に収納している。図１及び図１１は柄部本体１４が前記把持部１３内から完全に突出した状態を示し、この状態は、被貼着面３１までの距離が長い現場において使用される態様を示す。他方、図１２及び図１３は柄部本体１４が前記把持部１３内に完全に収納された状態を示し、この状態は、被貼着面３１までの距離が短かい現場で使用される態様を示す。なお、図示しないが、前記把持部１３の内周壁に係合凹部を設け、前記柄部本体１４に長さ方向の中間部の複数箇所に前記把持部１３の係合凹部と弾性的に係合する係合凸部を設けるなどの手段により、固定具１１全体の長さを複数段階に変化させることも可能である。
【００４０】
また、前記把持部１３の側面には電熱線８に通電、遮断解除する作動操作を行なうための操作部２０が付設されている。前記操作部２０を構成する操作箱２０ａは矩形箱状に形成され、その一側面の略中央における一点鎖線で示した位置に設けた図示しない取着軸を介して、図１１の矢印に示すように、上下方向に回動できるようになっている。このように操作部２０を上下方向に回動可能であることにより、固定具１１の把持部１３及び柄部本体１４が被貼着面に対して傾斜した状態にあっても、天井を見上げるなどして作業する施工業者は前記操作部２０に設けた各種スイッチの操作や各種表示ランプの確認を楽な姿勢で行なうことができる。
【００４１】
前記操作箱２０ａには加熱溶融接着剤７を加熱溶融する電熱線８に電流を送るバッテリ２１が内蔵されており、そのバッテリ２１に接続された電線２２は前記図示しない取着軸の内部を挿通した後、把持部１３及び柄部本体１４内を通り、前記首振り機構１６内を貫通し、更に、支持部逃がし空間１８内で２方向に分岐した後、載置面１７の両端部における前記支持具２の端子９と対向する位置に上面側に臨んで設けられた端子２３に接続するものとなっている。これにより、バッテリ２１から送出される電流は電線２２を伝って載置面１７の一側の端子２３に至り、前記載置面１７に載置された支持具２の一側の端子９を伝って前記支持具２の電熱線８内を通流し、再び、他側の端子９及び固定具１１の載置面１７の他側の端子２３から電線２２を伝ってバッテリ２１に戻る。ここで、前記バッテリ２１及び電線２２は支持具２の電熱線８に電気を流通させるための電気流通手段となるものである。なお、前記端子２３は請求項の接触部に相当するものである。
【００４２】
更に、前記操作部２０には、その下面に、電源をＯＮ、ＯＦＦ操作するメインスイッチ２４が取付けられており、また、正面には電気流通の開始操作、停止解除操作を兼ねる作動スイッチ２５が設けられている。この作動スイッチ２５は前記電気流通手段を作動して前記支持具２の電熱線８に電気を流通させる作動手段となるものであるとともに、前記支持具２の電熱線８に電気が流通する状態を解除する解除手段となるものである。更に、前記操作部２０の正面にはバッテリ２１の充電状態を表示するバッテリランプ２１ａが取付けられており、充電状態にあるときは、例えば、緑色に点灯し、充電不足状態にあるときは、赤色に点灯し、或いは、消灯するようになっている。また、作動スイッチ２５を作動させて電気流通する加熱状態を表示する加熱表示ランプ２６及び加熱溶融後通電を解除してから加熱溶融接着剤７が硬化するまで固定具１１による押圧状態の維持を表示する養生表示ランプ２７が取付けられている。
【００４３】
次に、上記のように構成された本実施例の配線・配管材用支持具の固定装置によって配線・配管材を天井面に沿って支持する方法を説明する。
まず、ケーブル等の配線・配管材３２を支持具２の支持部４であるビニル紐等で結束して支持させておく。但し、前記配線・配管材３２は支持具１１を被貼着面３１である天井面に貼着した後に支持部４に支持させてもよい。次に、予め支持具２の貼着面５に塗布された加熱溶融接着剤７の表面に保護用の剥離フィルム１０が付着されている場合は、これを手で剥がす。次いで、ビニル紐等からなる支持部４を固定具１１の載置部１５における支持部逃がし空間１８内に収容し、その開口１８ａから外部に引出しつつ、前記支持具２を前記固定具１１の載置部１５の載置面１７に載置する。すると、支持具２の両端子９はそれぞれ固定具１１の載置面１７に取付けられた両端子２３と接触状態となる。なお、固定具１１の載置面１７を前記支持具２の本体部３の外形寸法とほぼ同一の大きさに凹設して形成しておけば、前記支持具２を安定した状態に載置することができる。
【００４４】
次に、固定具１１の操作部２０のメインスイッチ２４を押してバッテリ２１の電源を入れる。このとき、バッテリ２１が充電状態にあれば、バッテリランプ２１ａは緑色に点灯し、充電不足であれば、赤色点灯または消灯状態にあるので、充電する。なお、バッテリ２１の電源は支持具２を固定具１１に載置する前に入れておいてもよい。
【００４５】
次いで、操作部２０の正面の作動スイッチ２５を押して電線２２に電気を流通させる。すると、電流は電線２２を伝って把持部１３及び柄部本体１４から載置面１７の端部に設けた端子２３に流れ、更に、支持具１１の端子９から電熱線８を流れて加熱溶融接着剤７を加熱、溶融する。このとき、加熱表示ランプ２６が例えば緑色に点灯して加熱状態にあることを表示する。そして、加熱溶融接着剤７の溶融が貼着面５の全体に至って完了すると、加熱表示ランプ２６は消灯し、溶融完了表示を行なう。なお、前記加熱溶融接着剤７の溶融の完了は、例えば、後述するように、加熱溶融接着剤７から熱伝達された支持具２の温度を検知する温度センサを取付け、この温度センサによって検知された支持具２の温度が所定値に達したか否かによって判断することができる。
【００４６】
次に、固定具１１を持上げて支持具２の貼着面５を被貼着面３１である天井面に押圧する。なお、作動スイッチ２５は支持具２の貼着面５を天井面に押圧した後に操作して加熱溶融接着剤７の加熱、溶融を開始してもよい。前記加熱溶融接着剤７が貼着面５全体に至って溶融したら、加熱表示ランプ２６が消灯するので、操作部２０の作動スイッチ２５を再度押して支持具２の電熱線８及び固定具１１の電線２２への電気流通を解除する。
【００４７】
すると、溶融した加熱溶融接着剤７は徐々に自然冷却され、流動性を喪失して硬化を開始する。なお、溶融した加熱溶融接着剤７の冷却は送風機等を使用して強制的に行なってもよい。電気流通を解除すると、代わって、養生表示ランプ２７が例えば緑色に点灯し、加熱溶融接着剤７が冷却状態に維持されていることを表示する。その後、所定時間が経過して、加熱溶融接着剤７が硬化を完了すると、前記養生表示ランプ２７は消灯する。これにより、施工業者は離れた位置からでも加熱溶融接着剤７が硬化し、支持具２が被貼着面３１に接着固定されたことを知ることができる。そこで、施工業者は加熱溶融接着剤７が硬化し、支持具２の接着固定が完了したことを知ったら、固定具１１をそのまま下方に下げて載置部１５を支持具２から離脱させる。
【００４８】
これによって、配線・配管材３２は支持具２の支持部４に結束、支持されて、天井面に沿って配設される。なお、予め配線・配管材３２を支持具２の支持部４で結束、支持していない場合には、支持具２を被貼着面３１に貼着した後に配線・配管材３２を前記支持部４に支持させればよい。
【００４９】
なお、この作業において、加熱溶融接着剤７を加熱し、溶融が完了したら、自動的に電気の通流が解除されるようにすると便利である。その解除手段として、例えば、図２３に示すように、支持具２の電熱線８によって溶融した加熱溶融接着剤７から熱伝達を受けた前記支持具２の温度を検知する温度センサ２８を固定具１１に取付けておく方法がある。この温度センサ２８を支持具２に取付けたものにおいては、図２４に示すように、温度センサ２８によって検知された温度情報が温度判別部２９に送出される。すると、この温度判別部２９は検知温度が所定値に達したか否かを判別し、所定値に達したと判断すると、その信号は出力回路３０に送出され、バッテリ２１の直流電源からの電気流通は自動的に遮断し、解除される。
【００５０】
そして、出力回路３０から解除信号がＬＥＤからなる加熱表示ランプ２６に送出され、例えば、加熱溶融中の場合に緑色に点灯していたものが加熱溶融完了として消灯する。この加熱表示ランプ２６は消灯することによって溶融完了を知らせる表示手段ともなるものである。なお、この実施例では、加熱表示ランプ２６は、加熱溶融中は緑色に点灯し、溶融が完了すると、消灯するものとしているが、例えば、２個のＬＥＤを使用し、加熱溶融中はうち１個が赤色に点灯し、溶融完了後はその赤色が消灯するとともに他の１個が緑色に点灯して表示するものとしてもよい。なお、温度センサ２８は加熱溶融接着剤７から熱伝達された支持具２の温度を検知しているが、前記加熱溶融接着剤７自体の温度を直接検知するようにしてもよい。
【００５１】
また、電気の通流を自動的に解除する他の解除手段として、電気を通流した後所定時間経過すると、その通流状態を自動的に解除するように作動させる方法を用いることもできる。この場合は、図２４において、温度センサ２８をタイマに替え、温度判別部２９を時間判別部にすればよい。
【００５２】
このように、上記実施例の配線・配管材用支持具の固定装置は、被貼着面３１に貼着される支持具２と、前記支持具２を前記被貼着面３１に貼着固定するための固定具１１とを備えたものであって、前記支持具２は、前記配線・配管材３２を支持する支持部４と、前記被貼着面３１に貼着される貼着面５を備えた本体部３とを有し、前記貼着面５には、加熱により溶融された後に硬化することにより、該貼着面５を前記被貼着面３１に接着固定する加熱溶融接着剤７が予め塗布されているとともに、前記塗布された加熱溶融接着剤７を溶融させるべく、電気流通によって熱を発生させる電熱線８が該貼着面５に沿って配線され、他方、前記固定具１１は、前記支持具２の貼着面５を被貼着面３１に臨ませた状態で該貼着面５を前記被貼着面３１に押圧可能に該支持具２を載置する載置部１５と、前記載置部１５に載置された前記支持具２の電熱線に電気を流通させるための電気流通手段と、前記電気流通手段を作動して前記電熱線８に電気を流通させる作動手段と、前記電気流通手段により前記電熱線８に電気が流通する状態を解除するための解除手段とを備えたものである。
【００５３】
したがって、加熱溶融接着剤７は電熱線８による加熱によって溶融されるから、有機溶剤等を混合してなる溶剤型接着剤とは異なり、施工業者の健康上好ましいものである。
【００５４】
また、加熱溶融接着剤７の加熱溶融をバーナー等の火気を全く使用せず、電熱線８による電気流通手段によって行なうから、火気等に使用が厳禁された現場においても管・ケーブル等の配線・配管材３２を支持する施工を行なうことができる。また、火気厳禁とされていない新築現場付近等において例えばガス配管工事等が行なわれていて火気の使用は極めて危険とされる現場においても前記配線・配管材３２を支持する施工を行なうことができる。また、バーナー等を使用せず、電気流通によって加熱するものであるから、取扱いが簡便で施工が容易である。
【００５５】
更に、前記支持具２の電熱線８はその両先端が本体部３に取付けられた端子９に連結され、その端子９は本体部３の貼着面５の側面側及び裏面側に臨むように設けられており、また、固定具１１の電線２２はその両先端が載置部１５の端子２３に連結され、その端子２３は上面側に臨むように設けられているので、固定具１１の載置部１５に支持具２を単に載置するだけで前記支持具２の端子９と固定具の端子２３とは電気的に接続し、支持具２の電熱線８と固定具の電線２２とが通電可能な状態となる。その結果、施工業者は手元で固定具１１の操作部２０の作動スイッチ２５を押すだけの簡単な操作でバッテリ２１からの電源電流を支持具２の電熱線８に通流させることができる。
【００５６】
そして、前記支持具２の電熱線８は、本体部３の貼着面５に塗布された加熱溶融接着剤７に埋設された状態に配線され、外部空間に露出しないので、前記電熱線８から発生する熱は効率よく前記加熱溶融接着剤７に伝達される。
【００５７】
ところで、上記実施例においては、固定具１１で支持具２を被貼着面３１に押圧するときに、押圧力が過大であると、支持具２の貼着面５に塗布された加熱溶融接着剤７が押し潰されて側方に多量に洩れ出て所要の膜厚を得られないことがある。そこで、図２２に示すように、支持具２の貼着面５の周縁部に連続的または不連続的に所定高さの突起５ａを設けておくと、一定以上に加熱溶融接着剤７が押し潰されるのを防止することができる。
【００５８】
【発明の効果】
以上のように、請求項１の配線・配管材用支持具、請求項５の配線・配管材用支持具の固定具、請求項１４の配線・配管材用支持具の固定装置及び請求項１５の配線・配管材用支持具の固定方法は、加熱溶融接着剤の加熱溶融をバーナー等の火気を全く使用せず、電熱線による電気流通手段によって行なうから、火気厳禁とされる現場においても配線・配管材を壁面に沿って安全かつ簡単に支持、施工でき、また、火気厳禁でない現場において付近の火気の危険性等に注意を払うことなく、配線・配管材を壁面に沿って安全かつ簡単に支持、施工できる。
【００５９】
また、請求項２及び請求項３の配線・配管材用支持具、請求項１２の配線・配管材用支持具の固定具は、支持具の電熱線の先端部に端子部が連結され、固定具の載置部において電線の先端部に接触部が連結されているので、支持具を固定具の載置部に載置するだけの簡単な操作で、該固定具から電線を介して送出された電流を支持具の電熱線に通流することができる。
【００６０】
請求項４の配線・配管材用支持具は、請求項１乃至請求項３のいずれか１項に記載の電熱線が、本体部の貼着面に塗布された加熱溶融接着剤に埋設された状態に配線されている。したがって、電熱線は加熱溶融接着剤の外部に露出しないので、前記電熱線によって発生した熱は加熱溶融接着剤の溶融に有効に用いられる。
【００６１】
請求項６乃至請求項８の配線・配管材用支持具の固定具は、加熱溶融接着剤の溶融が完了すると、電気の流通が自動的に解除されるので、施工作業が楽になる。
【００６２】
請求項９、請求項１０及び請求項１１の配線・配管材用支持具の固定具は、解除手段により電気流通が解除された後、加熱溶融接着剤が硬化した状態となったことを表示手段によって表示するので、加熱溶融接着剤がまだ溶融した不完全硬化状態で支持具の被貼着面への押圧が解除されるのを確実に防止することができる。
【００６３】
請求項１３の配線・配管材用支持具の固定具は、電熱線に電気を流通させ、または、その流通を解除する操作部を備えた把持部と、前記把持部から延設され、先端部に支持具を載置する載置部を備えた柄部とからなる。したがって、支持具を離れた被貼着面にも押圧することができ、また、電気流通の作動、解除等の操作を手元で行なうことができ、作業を楽に行なうことができる。
【図面の簡単な説明】
【図１】本発明の配線・配管材用支持具の固定装置を示す正面図である。
【図２】図１の固定装置の要部を示す斜視図である。
【図３】図１の支持具の斜視図である。
【図４】図３の支持具の正面図である。
【図５】図３の支持具の側面図である。
【図６】図３の支持具の加熱溶融接着剤及び電熱線を示す要部断面図である。
【図７】図３の支持具の端子を示す要部斜視図である。
【図８】図３の支持具の端子を示す要部断面図である。
【図９】図１の支持具の端子と固定具の端子との接触前の状態を示す要部断面図である。
【図１０】図１の支持具の端子と固定具の端子との接触後の状態を示す要部断面図である。
【図１１】図１の固定具の柄部を伸ばした状態を示す側面図である。
【図１２】図１の固定具の柄部を縮めた状態を示す正面図である。
【図１３】図１の固定具の柄部を縮めた状態を示す側面図である。
【図１４】図１の固定装置の要部を正面から見た断面図である。
【図１５】図１の固定装置の要部を側面から見た断面図である。
【図１６】図１の固定具の首振り機構を示す要部断面図である。
【図１７】図１の固定具の首振り機構における首を振った状態を示す要部断面図である。
【図１８】図１の支持具の支持部に配線・配管材を支持させた状態を示す要部斜視図である。
【図１９】図１の支持具を固定具の載置部に載置した状態を示す要部断面図である。
【図２０】図１の固定具を使用して支持具を被貼着面に貼着する状態を示す正面図である。
【図２１】図２０の支持具を被貼着面に貼着する状態を示す要部断面図である。
【図２２】本発明の別の実施例における配線・配管材用支持具の要部正面図である。
【図２３】本発明の更に別の実施例における固定具の側面図である。
【図２４】図２３の温度センサによる通電解除の判別を説明するブロック図である。
【図２５】従来の配線・配管材用支持具の斜視図である。
【符号の説明】
１    固定装置
２    支持具
３    本体部
４    支持部
５    貼着面
７    加熱溶融接着剤
８    電熱線
９、２３  端子
１１  固定具
１２  柄部
１３  把持部
１５  載置部
２０  操作部
２７  養生表示ランプ
２８  温度センサ
２９  温度判別部
３０  出力回路
３１  被貼着面
３２  配線・配管材
【図１】
2004208466.tif 000003
【図２】
2004208466.tif 000004
【図３】
2004208466.tif 000005
【図４】
2004208466.tif 000006
【図５】
2004208466.tif 000007
【図６】
2004208466.tif 000008
【図７】
2004208466.tif 000009
【図８】
2004208466.tif 000010
【図９】
2004208466.tif 000011
【図１０】
2004208466.tif 000012
【図１１】
2004208466.tif 000013
【図１２】
2004208466.tif 000014
【図１３】
2004208466.tif 000015
【図１４】
2004208466.tif 000016
【図１５】
2004208466.tif 000017
【図１６】
2004208466.tif 000018
【図１７】
2004208466.tif 000019
【図１８】
2004208466.tif 000020
【図１９】
2004208466.tif 000021
【図２０】
2004208466.tif 000022
【図２１】
2004208466.tif 000023
【図２２】
2004208466.tif 000024
【図２３】
2004208466.tif 000025
【図２４】
2004208466.tif 000026
【図２５】
2004208466.tif 000027